(57)【要約】【課題】  他人の携帯電話に対して自身のスケジュールを簡単に登録できるようにすることを課題とする。【解決手段】  サーバ５おいては、携帯電話１Ａからのアクセスに応答してＷＥＢページによりスケジュール情報の設定が支援され、その設定されたスケジュール情報がＵＲＬに紐付けてスケジュール情報記憶部ＳＣＨＥに記憶される。このスケジュール情報およびＵＲＬに基づいて携帯電話１Ａにおける送信メールの生成が支援される。携帯電話１Ａでは、サーバ５からの支援を受けて生成したメールを携帯電話１Ｂに送信するだけでよい。サーバ５では、アクセスしてきた携帯電話１Ｂに対し、ＵＲＬに紐付けて記憶されたスケジュール情報をスケジュール情報記憶部ＳＣＨＥから読み出して提供する処理が実行される。このようにして、アクセスしてきた携帯電話１Ｂにおけるカレンダへの登録を支援することができる。【選択図】  図１
2005318021.tif 000002
【特許請求の範囲】
【請求項１】
ネットワークを介してカレンダを有する携帯端末間でスケジュールを通知するスケジュール登録方法であって、
第１携帯端末からサーバにアクセスして当該サーバに対してスケジュール情報を入力する第１ステップと、
前記サーバにおいて前記第１ステップで入力されたスケジュール情報をアドレス情報に紐付けて前記サーバ管理下のメモリに記憶する第２ステップと、
前記第２ステップで記憶されたスケジュール情報およびアドレス情報を前記第１携帯端末からの要求に応じて他の携帯端末に通知する第３ステップと、
前記第３ステップで通知されたアドレス情報にしたがって前記サーバにアクセスしてきた第２携帯端末に対し、前記第２ステップで記憶されたスケジュール情報を前記第２携帯端末のカレンダに登録する第４ステップと、
を含んだことを特徴とするスケジュール登録方法。
【請求項２】
前記アドレス情報はＵＲＬであることを特徴とする請求項１に記載のスケジュール登録方法。
【請求項３】
ネットワークを介してカレンダを有する携帯端末間でスケジュールを通知するサーバシステムであって、
第１携帯端末からのアクセスに応答してスケジュール情報の設定を支援するスケジュール設定支援手段と、
前記スケジュール設定支援手段で設定されたスケジュール情報をアドレス情報に紐付けて記憶する記憶手段と、
前記記憶手段で記憶されたスケジュール情報およびアドレス情報に基づいて前記第１携帯端末における送信メールの生成を支援するメール生成支援手段と、
前記記憶手段に記憶されたアドレス情報にしたがってアクセスしてきた第２携帯端末に対し、アドレス情報に紐付けて記憶されたスケジュール情報を前記第２携帯端末におけるカレンダへの登録を支援するスケジュール登録支援と、
を備えたことを特徴とするサーバシステム。
【請求項４】
前記アドレス情報はＵＲＬであることを特徴とする請求項３に記載のサーバシステム。
【請求項５】
ネットワークを介してカレンダを有する携帯端末間でスケジュールを通知するサーバシステムのコンピュータにより実行可能なスケジュール登録プログラムであって、
前記コンピュータに、
第１携帯端末からのアクセスに応答してスケジュール情報の設定を支援する第１ステップと、
前記第１ステップで設定されたスケジュール情報をアドレス情報に紐付けてメモリに記憶する第２ステップと、
前記第２ステップで前記メモリに記憶されたスケジュール情報およびアドレス情報に基づいて前記第１携帯端末における送信メールの生成を支援する第３ステップと、
前記第２ステップで前記メモリに記憶されたアドレス情報にしたがってアクセスしてきた第２携帯端末に対し、アドレス情報に紐付けて記憶されたスケジュール情報を前記第２携帯端末におけるカレンダへの登録を支援する第４ステップと、
を実行させることを特徴とするスケジュール登録プログラム。
【請求項６】
前記アドレス情報はＵＲＬであることを特徴とする請求項５に記載のスケジュール登録プログラム。
【請求項７】
ネットワークを介してカレンダを有する携帯端末間でスケジュールを登録するスケジュール登録システムであって、
サーバにおいては、
携帯端末からのアクセスに応答してスケジュール情報の設定を支援するスケジュール設定支援手段と、
前記スケジュール設定支援手段で設定されたスケジュール情報をアドレス情報に紐付けて記憶する記憶手段と、
前記記憶手段で記憶されたスケジュール情報およびアドレス情報に基づいて前記携帯端末における送信メールの生成を支援するメール生成支援手段と、
前記記憶手段に記憶されたアドレス情報にしたがってアクセスしてきた携帯端末に対し、アドレス情報に紐付けて記憶されたスケジュール情報を前記アクセスしてきた携帯端末におけるカレンダへの登録を支援するスケジュール登録支援と、
を備え、
携帯端末においては、
前記スケジュール設定支援手段の支援を受けてスケジュールを設定するスケジュール設定手段と、
前記メール生成支援手段の支援を受けて前記送信メールを生成するメール生成手段と、
前記メール生成手段で生成された送信メールを他の携帯端末に送信するメール送信手段と、
前記メール送信手段により送信されたメールを受信するメール受信手段と、
前記メール受信手段で受信されたメールに含まれるスケジュール情報およびアドレス情報を表示するとともに当該表示されるアドレス情報にボタン機能をもたせる表示手段と、
前記表示手段で表示されたアドレス情報に対する操作を受け付けた場合に前記スケジュール登録支援の支援を受けて自身のカレンダに対して前記アドレス情報に紐付けられたスケジュール情報を登録する登録手段と、
を備えたことを特徴とするスケジュール登録システム。
【請求項８】
前記アドレス情報はＵＲＬであることを特徴とする請求項７に記載のスケジュール登録システム。
【発明の詳細な説明】
【技術分野】
【０００１】
本発明は、たとえば、スケジュール登録方法、サーバシステム、スケジュール登録プログラムおよびスケジュール登録システムに関するものである。
【背景技術】
【０００２】
携帯電話などの携帯端末の普及に伴い、機能として、単に通話を楽しむだけのツールではなく、メール交換を行ったり、インターネットのＷＥＢ閲覧を行う機能が充実してきている。携帯端末のメモリには、住所録、メモ、スケジュールなどの情報を保存することが可能であり、このような情報に対するセキュリティ面の機能も充実している。
【０００３】
従来、携帯端末においてセキュリティ面の充実を図りつつもスケジュールを複数のメンバー間で共有するシステムは存在する。たとえば、各メンバーによる端末からのアクセスに応じて、Ｗｅｂサーバにより、スケジュール情報を一覧画面データとしてアクセス元の端末へ送信するとともに、スケジュールの設定があったときには、予め定めた条件に応じてその旨を必要なメンバーに対してメールで通知するという提案がなされている（特許文献１）。
【０００４】
【特許文献１】特開２００２−９２２７７号
【発明の開示】
【発明が解決しようとする課題】
【０００５】
上述した従来例では、スケジュールそのものはＷＥＢサーバのようにインターネット上で管理されているので、自身の予定を知人に対してＷＥＢ閲覧によって確認させることは可能であった。しかしながら、複数のメンバーで共有することが不要な予定もあるので、任意の知人に対してのみ予定を登録して欲しいという要求がある。すなわち、知人の携帯電話で管理されるカレンダに自身の予定を簡単に登録させる機能が期待されていた。
【０００６】
本発明の目的は、他人の携帯電話に対して自身のスケジュールを簡単に登録させることが可能なスケジュール登録方法、サーバシステム、スケジュール登録プログラムおよびスケジュール登録システムを提供する点にある。
【課題を解決するための手段】
【０００７】
上述した課題を解決し、上記目的を達成するため、請求項１の発明に係るスケジュール登録方法は、ネットワークを介してカレンダを有する携帯端末間でスケジュールを通知するスケジュール登録方法であって、第１携帯端末からサーバにアクセスして当該サーバに対してスケジュール情報を入力する第１ステップと、前記サーバにおいて前記第１ステップで入力されたスケジュール情報をアドレス情報に紐付けて前記サーバ管理下のメモリに記憶する第２ステップと、前記第２ステップで記憶されたスケジュール情報およびアドレス情報を前記第１携帯端末からの要求に応じて他の携帯端末に通知する第３ステップと、前記第３ステップで通知されたアドレス情報にしたがって前記サーバにアクセスしてきた第２携帯端末に対し、前記第２ステップで記憶されたスケジュール情報を前記第２携帯端末のカレンダに登録する第４ステップと、を含んだことを特徴とするものである。
【０００８】
請求項２の発明は、請求項１において、前記アドレス情報をＵＲＬとしたものである。
【０００９】
また、請求項３の発明に係るサーバシステムは、ネットワークを介してカレンダを有する携帯端末間でスケジュールを通知するサーバシステムであって、第１携帯端末からのアクセスに応答してスケジュール情報の設定を支援するスケジュール設定支援手段と、前記スケジュール設定支援手段で設定されたスケジュール情報をアドレス情報に紐付けて記憶する記憶手段と、前記記憶手段で記憶されたスケジュール情報およびアドレス情報に基づいて前記第１携帯端末における送信メールの生成を支援するメール生成支援手段と、前記記憶手段に記憶されたアドレス情報にしたがってアクセスしてきた第２携帯端末に対し、アドレス情報に紐付けて記憶されたスケジュール情報を前記第２携帯端末におけるカレンダへの登録を支援するスケジュール登録支援と、を備えたことを特徴とするものである。
【００１０】
請求項４の発明は、請求項３において、前記アドレス情報をＵＲＬとしたものである。
【００１１】
また、請求項５の発明に係るスケジュール登録プログラムは、ネットワークを介してカレンダを有する携帯端末間でスケジュールを通知するサーバシステムのコンピュータにより実行可能なスケジュール登録プログラムであって、前記コンピュータに、第１携帯端末からのアクセスに応答してスケジュール情報の設定を支援する第１ステップと、前記第１ステップで設定されたスケジュール情報をアドレス情報に紐付けてメモリに記憶する第２ステップと、前記第２ステップで前記メモリに記憶されたスケジュール情報およびアドレス情報に基づいて前記第１携帯端末における送信メールの生成を支援する第３ステップと、前記第２ステップで前記メモリに記憶されたアドレス情報にしたがってアクセスしてきた第２携帯端末に対し、アドレス情報に紐付けて記憶されたスケジュール情報を前記第２携帯端末におけるカレンダへの登録を支援する第４ステップと、を実行させることを特徴とするものである。
【００１２】
請求項６の発明は、請求項５において、前記アドレス情報をＵＲＬとしたものである。
【００１３】
また、請求項７の発明に係るスケジュール登録システムは、ネットワークを介してカレンダを有する携帯端末間でスケジュールを登録するスケジュール登録システムであって、サーバにおいては、携帯端末からのアクセスに応答してスケジュール情報の設定を支援するスケジュール設定支援手段と、前記スケジュール設定支援手段で設定されたスケジュール情報をアドレス情報に紐付けて記憶する記憶手段と、前記記憶手段で記憶されたスケジュール情報およびアドレス情報に基づいて前記携帯端末における送信メールの生成を支援するメール生成支援手段と、前記記憶手段に記憶されたアドレス情報にしたがってアクセスしてきた携帯端末に対し、アドレス情報に紐付けて記憶されたスケジュール情報を前記アクセスしてきた携帯端末におけるカレンダへの登録を支援するスケジュール登録支援と、を備え、携帯端末においては、前記スケジュール設定支援手段の支援を受けてスケジュールを設定するスケジュール設定手段と、前記メール生成支援手段の支援を受けて前記送信メールを生成するメール生成手段と、前記メール生成手段で生成された送信メールを他の携帯端末に送信するメール送信手段と、前記メール送信手段により送信されたメールを受信するメール受信手段と、前記メール受信手段で受信されたメールに含まれるスケジュール情報およびアドレス情報を表示するとともに当該表示されるアドレス情報にボタン機能をもたせる表示手段と、前記表示手段で表示されたアドレス情報に対する操作を受け付けた場合に前記スケジュール登録支援の支援を受けて自身のカレンダに対して前記アドレス情報に紐付けられたスケジュール情報を登録する登録手段と、を備えたことを特徴とするものである。
【００１４】
請求項８の発明は、請求項７において、前記アドレス情報をＵＲＬとしたものである。
【発明の効果】
【００１５】
本発明によれば、他人の携帯電話に対して自身のスケジュールを簡単に登録させることが可能なスケジュール登録方法、サーバシステム、スケジュール登録プログラムおよびスケジュール登録システムを提供できるという効果を奏する。
【発明を実施するための最良の形態】
【００１６】
以下、添付図面を参照して本発明に係る一実施の形態を詳述する。本実施の形態では、携帯電話などの携帯端末にカレンダ機能が備えられ、第１の携帯端末がサーバからの支援を受けて第２の携帯端末に通知するスケジュール情報（予定）を設定し、その設定されたスケジュール情報はサーバ側で設定されるＵＲＬでアクセス可能に記憶される。スケジュール情報にアクセスするためのＵＲＬはサーバの支援を受けてメール本文に埋め込まれた状態で第１の携帯端末から第２の携帯端末に送られる。メールを受け取った第２の携帯端末はメールに埋め込まれたＵＲＬにアクセスすることによりサーバからスケジュール情報がダウンロード可能になり、そのダウンロードされたスケジュール情報がカレンダに登録される。このようにして、携帯端末間でメールを用いてスケジュール情報の登録を実現することが可能である。
【００１７】
まず全体のシステムについて図１を用いて説明する。図１は本実施の形態によるネットワークシステムの一例を示すシステム構成図である。このネットワークシステムは、たとえば図１に示したように、携帯端末の一種である携帯電話１Ａ，１Ｂ、基地局２、移動体通信網３、インターネット４、サーバ５などにより構成される。
【００１８】
携帯電話１Ａ，１Ｂは、携帯端末の代表例を示すものであり、通常の音声通話機能のほかに無線通信により基地局２および移動体通信網３を介してインターネット４に接続可能である。インターネット４には、パーソナルコンピュータ、サーバなどの各種の通信装置が接続されており、ここではサーバ５を例に挙げる。本実施の形態において、サーバ５は、携帯電話１Ａ，１Ｂ間のメールによるスケジュール登録を支援する機能を有している。
【００１９】
ここで、図１に示したネットワークシステムには、スケジュール登録システムおよびサーバシステムが組み込まれている。スケジュール登録システムは、たとえば図１においては、携帯電話１Ａ，１Ｂのようにスケジュール登録に関与する携帯電話とそのスケジュール登録を支援するサーバ５とにより構成される。また、サーバシステムは、サーバ５そのものとなる。本実施の形態では、サーバ５に各種のデータが記憶されているが、サーバ５にデータベースを接続させて、サーバ５によりデータベースに対して書き込みや読み出しを制御する場合には、サーバ５とそのデータベースとがサーバシステムを構成することになる。
【００２０】
図１において、携帯電話１Ａ，１Ｂは、それぞれカレンダＣＬＤ、アプリケーションＭＡＰなどを記憶しており、アプリケーションＭＡＰによりスケジュール登録などのカレンダ機能を実現する。基地局２は携帯電話１Ａ，１Ｂなどの携帯端末と無線で通信を行い、移動体通信網３を介してインターネット４との間で通信を実現する。移動体通信網３は、図示せぬが、交換機やゲートウェイサーバなどを具備しており、たとえばインターネット４に対してパケット処理を実現する。
【００２１】
サーバ５は、携帯電話１Ａ，Ｂなどの携帯端末に対してＷＥＢページを提供したり、スケジュール登録の支援を行うＷＥＢアプリケーションＳＡＰ、ユーザの識別番号（ユーザＩＤ）、氏名、電話番号、メールアドレスなどを対応付けて記憶するユーザ情報記憶部ＵＤＴ、ＵＲＬに紐付けてスケジュール登録すべきスケジュール情報を記憶するスケジュール情報記憶部ＳＣＨＥなどを記憶している。
【００２２】
つぎに、携帯端末の一構成例について図２を用いて説明する。図２は本実施の形態による携帯電話の一内部構成例を示すブロック図である。ここで、本実施の形態では、携帯電話１Ａと１Ｂは同様の構成を有しているので、代表例として携帯電話１Ｂを例に挙げて説明する。携帯電話１Ｂは、内部バス１１３に、アンテナ１０１を接続させた通信処理部１０２、スピーカ１０３およびマイク１０４を接続させたサウンド処理部１０５、ＣＰＵ１０６、ＲＯＭ１０７、ＲＡＭ１０８、キー群１１１、ディスプレイ１１２などを接続させ、内部バス１１３にアドレス信号、制御信号、データを伝送可能に構成される。
【００２３】
ＣＰＵ１０６は、ＲＯＭ１０７に格納された制御プログラムにしたがって装置全体を制御するとともに、ＲＡＭ１０８に格納された各種アプリケーションにしたがって通話、データ通信、メール、ＷＥＢ閲覧、キー入力、表示などの処理を実現する。
【００２４】
ＲＡＭ１０８は、カレンダＣＬＤ、アプリケーションＭＡＰ、住所録ＡＤＲＳ、音素材ＳＣなどを記憶するとともに、図示せぬワークエリアを有している。カレンダＣＬＤは、年月月日で予定をスケジューリングされたスケジュール情報により構成されるデータである。アプリケーションＭＡＰは、サーバ５の支援を受けてスケジュール情報のメール授受を行うとともに受け取った知人のスケジュール情報をカレンダＣＬＤに登録する機能を有している。住所録ＡＤＲＳは、氏名、電話番号、メールアドレスなどにより構成されるデータである。音素材ＳＣは、着信用音源を用いたメロディ、音声などのデータである。
【００２５】
キー群１１１は、電話番号を入力する数字キー、各種操作時の決定キーやカーソルキー、電源キー、オンフックキー、オフフックキーなどにより構成される。ディスプレイ１１２は、電話操作時、ＷＥＢ閲覧時、住所録の登録時、カレンダ操作時などのときに必要な画面を表示するものである。
【００２６】
つづいて住所録ＡＤＲＳ、カレンダＣＬＤについてそれぞれ図３、図４および図５を用いて説明する。図３は本実施の形態による一住所録の登録例を説明する図、図４は本実施の形態によるカレンダの一登録例を説明する図、そして、図５は本実施の形態によるカレンダの一表示例を説明する図である。
【００２７】
住所録ＡＤＲＳは、たとえば図３に示したように、氏名に対して電話番号、メールアドレスなどを対応付けて記憶させた構成である。図３の例では、“ゆか”（氏名）に対して“０９０−１１１１−２２２２”（電話番号）、“ｙｕｋａ＠ａａａ．ｃｏ．ｊｐ”（メールアドレス）などの対応付けが示されている。また、“くぼ”（氏名）に対して“０９０−３３３３−４４４４”（電話番号）、“ｋｕｂｏ＠ａａａ．ｃｏ．ｊｐ”（メールアドレス）などの対応付けが示されている。
【００２８】
カレンダＣＬＤは、たとえば図４に示したように、西暦にて年月日、曜日、時間、予定などを対応付けて記憶させた構成である。図４の例では、２００４年４月１日（木）に対して２つの予定が登録されている。ひとつ目の予定は、“４／１  ゆかの誕生日・・・”（予定）であり、もうひとつの予定は、１６：００（時間）に“いろメロ会議”（予定）である。そこで、２００４年４月１日（木）の予定は、たとえば図５に示したように、ディスプレイ１１２に表示される。
【００２９】
つぎに、サーバ５について図６、図７および図８を用いて説明する。図６は本実施の形態によるサーバ５の一内部構成例を示すブロック図、図７は本実施の形態によるユーザ情報記憶部ＵＤＴの一登録例を説明する図、そして、図８は本実施の形態によるスケジュール情報記憶部ＳＣＨＥの一登録例を説明する図である。
【００３０】
サーバ５は、たとえば図５に示したように、通信制御部５１、制御部５２、ＷＥＢアプリケーションＳＡＰ、ユーザ情報記憶部ＵＤＴ、スケジュール情報記憶部ＳＣＨＥなどにより構成される。
【００３１】
通信制御部５１は、インターネット４に接続され、インターネット４を介して他の端末（携帯電話１Ａ，１Ｂ含む）との間の通信を制御する機能を有している。制御部５２は、サーバ５全体の制御を司るとともに、ＷＥＢアプリケーションＳＡＰにしたがって本実施の形態のスケジュール登録にかかる制御を司る。ＷＥＢアプリケーションＳＡＰは、前述し通りなので、説明を省略する。
【００３２】
ユーザ情報記憶部ＵＤＴは、たとえば図７に示したように、各ユーザに割り当てられるユニークなＩＤすなわちユーザＩＤに対して氏名、電話番号、メールアドレスなどを対応付けて記憶する。図７の例では、ユーザＩＤの“１”に対して“ゆか”（氏名）、“０９０−１１１１−２２２２”（電話番号）、“ｙｕｋａ＠ａａａ．ｃｏ．ｊｐ”（メールアドレス）などの対応付けが示されている。また、ユーザＩＤの“２”に対して“くぼ”（氏名）、“０９０−３３３３−４４４４”（電話番号）、“ｋｕｂｏ＠ａａａ．ｃｏ．ｊｐ”（メールアドレス）などの対応付けが示されている。
【００３３】
スケジュール情報記憶部ＳＣＨＥは、たとえば図８に示したように、ユーザＩＤに対してＵＲＬ、年月日および時間、予定、一言を対応付けて記憶する。ここで、スケジュール情報とは、年月日および時間、予定、一言を指す。スケジュール情報記憶部ＳＣＨＥには、予定を教える側のユーザによって設定されるスケジュール情報がＵＲＬに紐付けて記憶される。図８の例では、ユーザＩＤの“１”に対して２つのスケジュール情報が記憶されている。アドレスであるＵＲＬは、それぞれｈｔｔｐ：／／ｂｂｂ・・・、ｈｔｔｐ：／／ｃｃｃ・・・である。
【００３４】
すなわち、ユーザＩＤ“１”に対応付けられているスケジュール情報は、ゆか（氏名）により設定されたものである。図８の例では、ＵＲＬとしてｈｔｔｐ：／／ｂｂｂ・・・が設定されており、このＵＲＬに対応させて、２００４年４月１日（年月日および時間）、“４／１  ゆかの誕生日・・・”（予定）、“ゆかの誕生日忘れないでね！”（一言）が記憶されている。このスケジュール情報記憶部ＳＣＨＥに記憶された情報は、予定を教える先の携帯電話にメールにて通知され、登録が実行されるとその段階で消去されるものとする。もちろん、登録拒否の場合には、スケジュール情報に含まれる日時からその日時に達するとその時点で消去するようにしてもよい。
【００３５】
つぎに、動作について図９、図１０、図１１および図１２を用いて説明する。図９は本実施の形態においてスケジュール情報を送る携帯電話側の画面遷移を説明する図、図１０は本実施の形態においてスケジュール情報を受け取る携帯電話側の画面遷移を説明する図、図１１は本実施の形態によるスケジュール情報送信時の一動作例を説明するフローチャート、そして、図１２は本実施の形態によるスケジュール情報受信時の一動作例を説明するフローチャートである。携帯電話１Ａの所有者が「ゆか」（氏名）として予定を教える側の端末とし、携帯電話１Ｂの所有者が「くぼ」（氏名）として予定を教えられる側の端末として以下に説明する。
【００３６】
まず、予定を教える側すなわちスケジュール情報をメール送信する側では、所定のサイトにアクセスしてＷＥＢページによりメニュー画面を表示させる処理が実行される。この段階では、たとえば図９（Ａ）に示したように、メニュー画面が形成される。このとき、選択肢の一例として、［１］受信メール処理、［２］送信メール処理、［３］予定を教える処理、［４］メールアドレス変更処理、［５］フォントサイズ変更処理などが選択可能に表示される。
【００３７】
さらに、［３］予定を教える処理がキー群１１１の操作により選択されると、予定入力ページの要求がサーバ５に対して送信される（ステップＭＳ１１）。サーバ５側では、その要求が受け付けられると、「予定を教える」すなわちスケジュール情報を送るための予定入力ページが生成されて、アクセス元の携帯電話１ＡにＷＥＢページとして送信される（ステップＳＳ１２）。その結果、携帯電話１Ａには、予定入力ページが受信され、ディスプレイ１１２に表示される（ステップＭＳ１２）。
【００３８】
予定入力ページには、たとえば図９（Ｂ）に示したように、年月日および時間を入力する入力欄ＴＭと予定を入力する入力欄ＴＬとが設けられる。ユーザは、キー群１１１を操作して入力欄ＴＭに対してプルダウンメニューで数字を選択したり、入力欄ＴＬに文字入力をすることができる。そして、最下段には、入力欄ＴＭ，ＴＬの入力データをサーバ５に送信するためのボタンＢＴＮ１が設けられる。なお、予定の入力欄ＴＬについては、たとえば全角で３０文字以内などの制限を設けているが、この文字数に限定されるものではない。
【００３９】
たとえば、入力欄ＴＭには、“２００４年４月１日”が入力され、入力欄ＴＬには、“４／１  ゆかの誕生日・・・”が入力され、この入力（設定）状態でボタンＢＴＮ１が操作された場合には、入力データがサーバ５に対してＷＥＢページへの入力データとして送信される。具体的には、ステップＭＳ１３およびＭＳ１４の処理は、予定以外にメールアドレスおよび宛先に対する一言が入力される。
【００４０】
すなわち、携帯電話１Ａとサーバ５間では、入力欄ＴＭ，ＴＬに続いてメールアドレスの入力、宛先への一言入力がＷＥＢページを用いてやりとりされる。予定入力ページとしては、たとえば図９（Ｃ）のように、予定の入力欄ＴＬに入力された内容が表示され、さらに電話番号の入力を促すように、電話帳参照入力か直接宛先入力によりメールアドレスが入力可能である。この電話帳参照入力か直接宛先入力かは、カーソル操作によりアイコンとして任意に選択可能である。たとえば、電話帳参照入力のアイコンＣＳ１が選択された場合には、携帯電話１Ａの住所録ＡＤＲＳが参照される。もちろん、サーバ５側のユーザ情報記憶部ＵＤＴを参照するように設計してもよい。また、直接宛先入力では、図示せぬが、文字入力が可能な欄が設けられて直接キー群１１１による文字入力が可能となる。
【００４１】
メールアドレスが入力された後は、さらにサーバ５から予定入力ページが送信され、携帯電話１Ａに表示される。具体的には、図９（Ｄ）に示したように、宛先の“くぼ”に対するメッセージ入力欄ＭＳＧが設けられる。なお、メッセージ入力欄ＭＳＧについては、たとえば全角で２０文字以内などの制限を設けているが、この文字数に限定されるものではない。
【００４２】
また、図９（Ｄ）の下段においては、入力完了かメッセージ入力欄ＭＳＧへの入力をスキップするかはカーソル操作によりアイコンとして任意に選択可能である。たとえば入力完了のアイコンＣＳ２が選択された場合には、メッセージ入力欄ＭＳＧに入力されたメッセージがサーバ５に一言として送信される。もう一方のスキップでは、メッセージ入力欄ＭＳＧへの入力なしがサーバ５に対して送信される。
【００４３】
このように、携帯電話１Ａでは、スケジュール情報として、年月日・時間および予定、メールアドレス（宛先）、一言（任意）がそれぞれ入力処理され（ステップＭＳ１３）、入力完了（ステップＭＳ１４）する度に入力データとしてサーバ５に送信（ステップＭＳ１５）される処理が繰り返し実行される。図１１のフローは、図９（Ｂ）、（Ｃ）、（Ｄ）の流れで繰り返される処理を省略している。
【００４４】
サーバ５にすべての入力データが受信されると（ステップＳＳ１３）、この入力データに基づく確認ページが作成され、携帯電話１Ａに送信される（ステップＳＳ１４）。確認ページは、たとえば図９（Ｅ）に示したように、入力内容が一部表示された状態で下段に送信ボタンＢＴＮ２が設けられる（ステップＭＳ１６）。そして、送信ボタンＢＴＮ２が操作されると（ステップＭＳ１７のＹＥＳルート）、送信操作有がサーバ５に対して通知される（ステップＭＳ１８）。
【００４５】
サーバ５では、携帯電話１Ａからの通知（送信指示有）が受け付けられると、入力データすなわちスケジュール情報にアクセスするためのＵＲＬが生成され、このＵＲＬにスケジュール情報が紐付けられて図８の如く記憶される。そして、ＵＲＬが携帯電話１Ａに送信される（ステップＳＳ１５）。図８において、“ゆか”はユーザＩＤ“１”のため、ユーザＩＤ“１”に対応させてＵＲＬとしてｈｔｔｐ：／／ｂｂｂ・・・、スケジュール情報として、２００４年４月１日（年月日および時間）、“４／１  ゆかの誕生日・・・”（予定）、“ゆかの誕生日忘れないでね！”（一言）が記憶される。このように、サーバ５へスケジュール情報が記憶されることにより、携帯電話１Ａから携帯電話１Ｂに対して「予定を教える」ためのメールが送信されたことを示す。
【００４６】
携帯電話１Ａでは、サーバ５からＵＲＬが受信されると、そのＵＲＬを埋め込んだ「予定を教える」メールが生成されて宛先“くぼ”（携帯電話１Ｂ）に送信される（ステップＭＳ１９）。
【００４７】
このようにして、携帯電話１Ｂには、携帯電話１Ａから「予定を教える」メールが受信されると、メール開封操作が受け付けられる（ステップＭＳ２１）。そして、メール開封操作に応じてメールが開封されると、ディスプレイ１１２に表示される（ステップＭＳ２２）。
【００４８】
「予定を教える」メールが開封されると、たとえば図１０（Ａ）に示したように、本文には一言“ゆかの誕生日忘れないでね！”が表示され、さらにカレンダＣＬＤに対してスケジュール情報を登録指示するための登録ボタンＢＴＮ３が設けられる。この登録ボタンＢＴＮ３は、サーバ５において生成されたＵＲＬにアクセスするための操作ボタンである。
【００４９】
ボタン操作が確認され（ステップＭＳ２３）、かつ、登録ボタンＢＴＮ３の操作が確認された場合には（ステップＭＳ２４）、携帯電話１Ｂからｈｔｔｐ：／／ｂｂｂ・・・（ＵＲＬ）へのアクセスがなされ、このＵＲＬに記憶されているスケジュール情報がスケジュール情報記憶部ＳＣＨＥから読み出される（ステップＳＳ２１）。そして、携帯電話１Ｂに対してその読み出されたスケジュール情報が送信される（ステップＳＳ２２）。
【００５０】
このようにして携帯電話１Ｂにはスケジュール情報が受信され、スケジュール登録画面が表示される（ステップＭＳ２６）。スケジュール登録画面は、たとえば図１０（Ｂ）に示したように、サーバ５より受信したスケジュール情報の登録有無を確認する画面を示す。このスケジュール登録画面には、スケジュール情報が表示されるとともに、「登録する」ボタンＢＴＮ４が設けられる。
【００５１】
そして、ボタン操作が確認され（ステップＭＳ２７）、かつ、「登録する」ボタンＢＴＮ４の操作が確認された場合には（ステップＭＳ２８）、スケジュール情報が前述した図４の如くカレンダＣＬＤに登録される（ステップＭＳ２９）。このようにして、処理が終了する。
【００５２】
なお、ステップＭＳ２４、ステップＭＳ２８において他のボタン操作が確認あれた場合には、他のボタン操作に応じた処理が実行される。
【００５３】
このようにして、ネットワークを介してカレンダを有する携帯端末間でスケジュールを通知するサーバシステムを実現することが可能となる。すなわち、サーバ５おいては、携帯電話１Ａからのアクセスに応答してＷＥＢページによりスケジュール情報の設定が支援され、その設定されたスケジュール情報がＵＲＬに紐付けてスケジュール情報記憶部ＳＣＨＥに記憶される。このスケジュール情報およびＵＲＬに基づいて携帯電話１Ａにおける送信メールの生成が支援される。携帯電話１Ａでは、サーバ５からの支援を受けて生成したメールを携帯電話１Ｂに送信するだけでよい。
【００５４】
一方、メールを受信した携帯電話１Ｂにおいては、受信メールからＵＲＬにアクセスするだけでサーバ５からスケジュール情報を入手することができる。すなわち、サーバ５では、アクセスしてきた携帯電話１Ｂに対し、ＵＲＬに紐付けて記憶されたスケジュール情報をスケジュール情報記憶部ＳＣＨＥから読み出して提供する処理が実行される。このようにして、アクセスしてきた携帯電話１Ｂにおけるカレンダへの登録を支援することができる。
【００５５】
以上説明したように、本実施の形態によれば、相手の携帯電話に登録したいスケジュール情報をサーバ５に記憶させておき、その相手にはサーバ５に記憶させたスケジュール情報へのアクセス権すなわちＵＲＬをメールで連絡することができる。そして、相手はＵＲＬにアクセスするだけで簡単に自身のカレンダにスケジュール情報を登録手続きすることができる。これにより、任意の知人が所有する携帯電話に対してのみ自身のスケジュールを登録させることができる。また、教えたい知人にだけスケジュールが公開されるので、スケジュールの秘密が保持される。
このように、他人の携帯電話に対して自身のスケジュールを簡単に登録させることが可能である。
【産業上の利用可能性】
【００５６】
本発明は、スケジュール登録方法、サーバシステム、スケジュール登録プログラムおよびスケジュール登録システムを製造する産業で利用される。
【図面の簡単な説明】
【００５７】
【図１】本実施の形態によるネットワークシステムの一例を示すシステム構成図である。
【図２】本実施の形態による携帯電話１Ｂの一内部構成例を示すブロック図である。
【図３】本実施の形態による一住所録の登録例を説明する図である。
【図４】本実施の形態によるカレンダの一登録例を説明する図である。
【図５】本実施の形態によるカレンダの一表示例を説明する図である。
【図６】本実施の形態によるサーバ５の一内部構成例を示すブロック図である。
【図７】本実施の形態によるユーザ情報記憶部ＵＤＴの一登録例を説明する図である。
【図８】本実施の形態によるスケジュール情報記憶部ＳＣＨＥの一登録例を説明する図である。
【図９】本実施の形態においてスケジュール情報を送る携帯電話側の画面遷移を説明する図である。
【図１０】本実施の形態においてスケジュール情報を受け取る携帯電話側の画面遷移を説明する図である。
【図１１】本実施の形態によるスケジュール情報送信時の一動作例を説明するフローチャートである。
【図１２】本実施の形態によるスケジュール情報受信時の一動作例を説明するフローチャートである。
【符号の説明】
【００５８】
１Ａ，１Ｂ  携帯電話
５  サーバ
５１  通信制御部
５２  制御部
１０２  通信処理部
１０６  ＣＰＵ
１０７  ＲＯＭ
１０８  ＲＡＭ
１１１  キー群
１１２  ディスプレイ
ＡＤＲＳ  住所録
ＣＬＤ  カレンダ
ＭＡＰ  アプリケーション
ＳＡＰ  ＷＥＢアプリケーション
ＳＣ  音素材
ＳＣＨＥ  スケジュール情報記憶部
ＵＤＴ  ユーザ情報記憶部
【図１】
2005318021.tif 000003
【図２】
2005318021.tif 000004
【図３】
2005318021.tif 000005
【図４】
2005318021.tif 000006
【図５】
2005318021.tif 000007
【図６】
2005318021.tif 000008
【図７】
2005318021.tif 000009
【図８】
2005318021.tif 000010
【図９】
2005318021.tif 000011
【図１０】
2005318021.tif 000012
【図１１】
2005318021.tif 000013
【図１２】
2005318021.tif 000014
【手続補正書】
【提出日】平成16年11月22日(2004.11.22)
【手続補正１】
【補正対象書類名】特許請求の範囲
【補正対象項目名】全文
【補正方法】変更
【補正の内容】
【特許請求の範囲】
【請求項１】
ネットワークを介して、メールの授受およびカレンダへの登録を行うためのアプリケーションを有する携帯端末間でスケジュールを通知するサーバのスケジュール登録方法であって、
第１携帯端末からのアクセスに応じて、前記第１携帯端末において通知先となる第２携帯端末に対するスケジュール情報および宛先を含むメールの生成と前記サーバへのスケジュール情報および宛先の登録を行わせる共通入力画面を形成させ、前記第１携帯端末から前記形成された共通入力画面に対するスケジュール情報および宛先の入力を受け付ける第１ステップと、
前記第１携帯端末から、当該第１携帯端末から前記第２携帯端末へのメール送信に連動する送信通知を受け付ける第２ステップと、
前記第２ステップで送信通知を受け付けた場合、前記第１ステップで受け付けたスケジュール情報にアクセスするためのアドレス情報を生成し、当該スケジュール情報を前記アドレス情報に紐付けて前記サーバ管理下の記憶手段に登録用スケジュール情報として記憶する第３ステップと、
前記第１携帯端末に対して前記第３ステップで生成されたアドレス情報を通知して、前記ステップ１において前記第１携帯端末のアプリケーションを用いて生成される前記メールに当該アドレス情報を埋め込ませる第４ステップと、
前記アプリケーションを有する前記第２携帯端末から前記第４ステップでメールに埋め込ませたアドレス情報に基づくアクセスがあった場合、前記記憶手段において前記アドレス情報に紐付けて記憶されたスケジュール情報を読み出して前記第２携帯端末に送信し、前記第２携帯端末のアプリケーションを用いて前記第２携帯端末のカレンダに前記読み出されたスケジュール情報を登録させる第５ステップと、
を含んだことを特徴とするスケジュール登録方法。
【請求項２】
サーバの支援を受けてメールの授受およびカレンダへの登録を行うためのアプリケーションを有する携帯端末間でスケジュールを通知するスケジュール登録方法であって、
第１携帯端末においてユーザの操作に応じて通知先となる第２携帯端末に対するスケジュール情報および宛先を含むメールの生成と前記サーバへのスケジュール情報および宛先の登録を開始する第１ステップと、
前記サーバにおいて前記第１携帯端末からのアクセスに応じて、前記第１携帯端末において通知先となる前記第２携帯端末に対するスケジュール情報および宛先を含むメールの生成と前記サーバへのスケジュール情報および宛先の登録を行わせる共通入力画面を形成させ、前記第１携帯端末から前記形成された共通入力画面に対するスケジュール情報および宛先の入力を受け付ける第２ステップと、
前記第１携帯端末においてユーザの操作に応じて前記サーバに当該第１携帯端末から前記第２携帯端末へのメール送信に連動する送信通知を送信する第３ステップと、
前記サーバにおいて前記第１携帯端末から第３ステップで送信された送信通知を受け付ける第４ステップと、
前記サーバにおいて前記第４ステップで送信通知を受け付けた場合、前記第２ステップで受け付けたスケジュール情報にアクセスするためのアドレス情報を生成し、当該スケジュール情報を前記アドレス情報に紐付けて前記サーバ管理下の記憶手段に登録用スケジュール情報として記憶する第５ステップと、
前記第１携帯端末に対して前記第５ステップで生成されたアドレス情報を通知して、前記ステップ２において前記第１携帯端末のアプリケーションを用いて生成される前記メールに当該アドレス情報を埋め込ませる第６ステップと、
前記第１携帯端末においてユーザの操作に応じてメール送信する場合、前記ステップ２において前記第１携帯端末のアプリケーションを用いて生成される前記メールに当該アドレス情報が埋め込まれた当該メールを前記第２ステップで入力された宛先となる第２携帯端末に対して送信する第７ステップと、
前記アプリケーションを有する前記第２携帯端末から前記第６ステップでメールに埋め込ませたアドレス情報に基づくアクセスがあった場合、前記記憶手段において前記アドレス情報に紐付けて記憶されたスケジュール情報を読み出して前記第２携帯端末に送信し、前記第２携帯端末のアプリケーションを用いて前記第２携帯端末のカレンダに前記読み出されたスケジュール情報を登録させる第８ステップと、
を含んだことを特徴とするスケジュール登録方法。
【請求項３】
前記アドレス情報はＵＲＬであることを特徴とする、請求項１または２記載のスケジュール登録方法。
【請求項４】
ネットワークを介して、メールの授受およびカレンダへの登録を行うためのアプリケーションを有する携帯端末間でスケジュールを通知するサーバのスケジュール登録システムであって、
第１携帯端末からのアクセスに応じて、前記第１携帯端末において通知先となる第２携帯端末に対するスケジュール情報および宛先を含むメールの生成と前記サーバへのスケジュール情報および宛先の登録を行わせる共通入力画面を形成させ、前記第１携帯端末から前記形成された共通入力画面に対するスケジュール情報および宛先の入力を受け付けるスケジュール設定支援手段と、
前記第１携帯端末から、当該第１携帯端末から前記第２携帯端末へのメール送信に連動する送信通知を受け付けるスケジュール登録受付手段と、
前記スケジュール受付手段で送信通知を受け付けた場合、前記スケジュール受付手段で受け付けたスケジュール情報にアクセスするためのアドレス情報を生成するアドレス情報生成手段と、
前記アドレス情報生成手段で生成した当該スケジュール情報を前記アドレス情報に紐付けて前記サーバ管理下の記憶手段に登録用スケジュール情報として記憶する記憶手段と、
前記第１携帯端末に対して前記アドレス情報生成手段で生成されたアドレス情報を通知して、前記第１携帯端末のアプリケーションを用いて生成される前記メールに当該アドレス情報を埋め込ませるメール生成支援手段と、
前記アプリケーションを有する前記第２携帯端末から前記メール生成支援手段でメールに埋め込ませたアドレス情報に基づくアクセスがあった場合、前記記憶手段において前記アドレス情報に紐付けて記憶されたスケジュール情報を読み出して前記第２携帯端末に送信し、前記第２携帯端末のアプリケーションを用いて前記第２携帯端末のカレンダに前記読み出されたスケジュール情報を登録させるスケジュール登録支援手段と、
を備えたことを特徴とするスケジュール登録システム。
【請求項５】
サーバの支援を受けてメールの授受およびカレンダへの登録を行うためのアプリケーションを有する携帯端末間でスケジュールを通知するスケジュール登録システムであって、
前記サーバにおいて、
第１携帯端末からのアクセスに応じて、前記第１携帯端末において通知先となる第２携帯端末に対するスケジュール情報および宛先を含むメールの生成と前記サーバへのスケジュール情報および宛先の登録を行わせる共通入力画面を形成させ、前記第１携帯端末から前記形成された共通入力画面に対するスケジュール情報および宛先の入力を受け付けるスケジュール設定支援手段と、
前記第１携帯端末から、当該第１携帯端末から前記第２携帯端末へのメール送信に連動する送信通知を受け付けるスケジュール登録受付手段と、
前記スケジュール受付手段で送信通知を受け付けた場合、前記スケジュール受付手段で受け付けたスケジュール情報にアクセスするためのアドレス情報を生成するアドレス情報生成手段と、
前記アドレス情報生成手段で生成した当該スケジュール情報を前記アドレス情報に紐付けて前記サーバ管理下の記憶手段に登録用スケジュール情報として記憶する記憶手段と、
前記第１携帯端末に対して前記アドレス情報生成手段で生成されたアドレス情報を通知して、前記第１携帯端末のアプリケーションを用いて生成される前記メールに当該アドレス情報を埋め込ませるメール生成支援手段と、
前記アプリケーションを有する前記第２携帯端末から前記メール生成支援手段でメールに埋め込ませたアドレス情報に基づくアクセスがあった場合、前記記憶手段において前記アドレス情報に紐付けて記憶されたスケジュール情報を読み出して前記第２携帯端末に送信し、前記第２携帯端末のアプリケーションを用いて前記第２携帯端末のカレンダに前記読み出されたスケジュール情報を登録させるスケジュール登録支援手段と、
を備え、
前記携帯端末において、
ユーザの操作に応じて通知先となる第２携帯端末に対するスケジュール情報および宛先を含むメールの生成と前記サーバへのスケジュール情報および宛先の登録を開始するスケジュール設定手段と、
ユーザの操作に応じて前記サーバに当該第１携帯端末から前記第２携帯端末へのメール送信に連動する送信通知を送信する送信確認手段と、
ユーザの操作に応じてメール送信する場合、前記第１携帯端末のアプリケーションを用いて生成される前記メールに当該アドレス情報が埋め込まれた当該メールを入力された宛先となる第２携帯端末に対して送信するメール送信手段と、
を備えたことを特徴とするスケジュール登録システム。
【請求項６】
前記アドレス情報はＵＲＬであることを特徴とする、請求項４または５記載のスケジュール登録システム。
【請求項７】
ネットワークを介して、メールの授受およびカレンダへの登録を行うためのアプリケーションを有する携帯端末間でスケジュールを通知するサーバのコンピュータにより実行可能なスケジュール登録方プログラムであって、
前記サーバのコンピュータに、
前記サーバにおいて第１携帯端末からのアクセスに応じて、前記第１携帯端末において通知先となる第２携帯端末に対するスケジュール情報および宛先を含むメールの生成と前記サーバへのスケジュール情報および宛先の登録を行わせる共通入力画面を形成させ、前記第１携帯端末から前記形成された共通入力画面に対するスケジュール情報および宛先の入力を受け付ける第１ステップと、
前記サーバにおいて前記第１携帯端末から、当該第１携帯端末から前記第２携帯端末へのメール送信に連動する送信通知を受け付ける第２ステップと、
前記第２ステップで送信通知を受け付けた場合、前記第１ステップで受け付けたスケジュール情報にアクセスするためのアドレス情報を生成し、当該スケジュール情報を前記アドレス情報に紐付けて前記サーバ管理下の記憶手段に登録用スケジュール情報として記憶する第３ステップと、
前記サーバにおいて当該サーバから前記第１携帯端末に対して前記第３ステップで生成されたアドレス情報を通知して、前記ステップ１において前記第１携帯端末のアプリケーションを用いて生成される前記メールに当該アドレス情報を埋め込ませる第４ステップと、
前記アプリケーションを有する前記第２携帯端末から前記第４ステップでメールに埋め込ませたアドレス情報に基づくアクセスがあった場合、前記記憶手段において前記アドレス情報に紐付けて記憶されたスケジュール情報を読み出して前記第２携帯端末に送信し、前記第２携帯端末のアプリケーションを用いて前記第２携帯端末のカレンダに前記読み出されたスケジュール情報を登録させる第５ステップと、
を実行させることを特徴とするスケジュール登録プログラム。
【請求項８】
サーバの支援を受けてメールの授受およびカレンダへの登録を行うためのアプリケーションを有する携帯端末間でスケジュールを通知するサーバのコンピュータおよび携帯端末のコンピュータにより実行可能なスケジュール登録プログラムであって、
前記サーバのコンピュータに、
前記サーバにおいて第１携帯端末からのアクセスに応じて、前記第１携帯端末において通知先となる第２携帯端末に対するスケジュール情報および宛先を含むメールの生成と前記サーバへのスケジュール情報および宛先の登録を行わせる共通入力画面を形成させ、前記第１携帯端末から前記形成された共通入力画面に対するスケジュール情報および宛先の入力を受け付ける第１ステップと、
前記サーバにおいて前記第１携帯端末から、当該第１携帯端末から前記第２携帯端末へのメール送信に連動する送信通知を受け付ける第２ステップと、
前記第２ステップで送信通知を受け付けた場合、前記第１ステップで受け付けたスケジュール情報にアクセスするためのアドレス情報を生成し、当該スケジュール情報を前記アドレス情報に紐付けて前記サーバ管理下の記憶手段に登録用スケジュール情報として記憶する第３ステップと、
前記サーバにおいて当該サーバから前記第１携帯端末に対して前記第３ステップで生成されたアドレス情報を通知して、前記ステップ１において前記第１携帯端末のアプリケーションを用いて生成される前記メールに当該アドレス情報を埋め込ませる第４ステップと、
前記アプリケーションを有する前記第２携帯端末から前記第４ステップでメールに埋め込ませたアドレス情報に基づくアクセスがあった場合、前記記憶手段において前記アドレス情報に紐付けて記憶されたスケジュール情報を読み出して前記第２携帯端末に送信し、前記第２携帯端末のアプリケーションを用いて前記第２携帯端末のカレンダに前記読み出されたスケジュール情報を登録させる第５ステップと、
を実行させ、
前記携帯端末のコンピュータに、
ユーザの操作に応じて通知先となる第２携帯端末に対するスケジュール情報および宛先を含むメールの生成と前記サーバへのスケジュール情報および宛先の登録を開始する第１ステップと、
ユーザの操作に応じて前記サーバに当該第１携帯端末から前記第２携帯端末へのメール送信に連動する送信通知を送信する第２ステップと、
ユーザの操作に応じてメール送信する場合、前記携帯端末におけるステップ２において前記第１携帯端末のアプリケーションを用いて生成される前記メールに当該アドレス情報が埋め込まれた当該メールを前記携帯端末における第２ステップで入力された宛先となる第２携帯端末に対して送信する第３ステップと、
を実行させることを特徴とするスケジュール登録プログラム。
【手続補正２】
【補正対象書類名】明細書
【補正対象項目名】全文
【補正方法】変更
【補正の内容】
【発明の詳細な説明】
【技術分野】
【０００１】
本発明は、たとえば、スケジュール登録方法、スケジュール登録プログラムおよびスケジュール登録システムに関するものである。
【背景技術】
【０００２】
携帯電話などの携帯端末の普及に伴い、機能として、単に通話を楽しむだけのツールではなく、メール交換を行ったり、インターネットのＷＥＢ閲覧を行う機能が充実してきている。携帯端末のメモリには、住所録、メモ、スケジュールなどの情報を保存することが可能であり、このような情報に対するセキュリティ面の機能も充実している。
【０００３】
従来、携帯端末においてセキュリティ面の充実を図りつつもスケジュールを複数のメンバー間で共有するシステムは存在する。たとえば、各メンバーによる端末からのアクセスに応じて、Ｗｅｂサーバにより、スケジュール情報を一覧画面データとしてアクセス元の端末へ送信するとともに、スケジュールの設定があったときには、予め定めた条件に応じてその旨を必要なメンバーに対してメールで通知するという提案がなされている（特許文献１）。
【０００４】
【特許文献１】特開２００２−９２２７７号
【発明の開示】
【発明が解決しようとする課題】
【０００５】
上述した従来例では、スケジュールそのものはＷＥＢサーバのようにインターネット上で管理されているので、自身の予定を知人に対してＷＥＢ閲覧によって確認させることは可能であった。しかしながら、複数のメンバーで共有することが不要な予定もあるので、任意の知人に対してのみ予定を登録して欲しいという要求がある。すなわち、知人の携帯電話で管理されるカレンダに自身の予定を簡単に登録させる機能が期待されていた。
【０００６】
本発明の目的は、他人の携帯電話に対して自身のスケジュールを簡単に登録させることが可能なスケジュール登録方法、スケジュール登録プログラムおよびスケジュール登録システムを提供する点にある。
【課題を解決するための手段】
【０００７】
上述した課題を解決し、上記目的を達成するため、請求項１の発明に係るスケジュール登録方法は、ネットワークを介して、メールの授受およびカレンダへの登録を行うためのアプリケーションを有する携帯端末間でスケジュールを通知するサーバのスケジュール登録方法であって、第１携帯端末からのアクセスに応じて、前記第１携帯端末において通知先となる第２携帯端末に対するスケジュール情報および宛先を含むメールの生成と前記サーバへのスケジュール情報および宛先の登録を行わせる共通入力画面を形成させ、前記第１携帯端末から前記形成された共通入力画面に対するスケジュール情報および宛先の入力を受け付ける第１ステップと、前記第１携帯端末から、当該第１携帯端末から前記第２携帯端末へのメール送信に連動する送信通知を受け付ける第２ステップと、前記第２ステップで送信通知を受け付けた場合、前記第１ステップで受け付けたスケジュール情報にアクセスするためのアドレス情報を生成し、当該スケジュール情報を前記アドレス情報に紐付けて前記サーバ管理下の記憶手段に登録用スケジュール情報として記憶する第３ステップと、前記第１携帯端末に対して前記第３ステップで生成されたアドレス情報を通知して、前記ステップ１において前記第１携帯端末のアプリケーションを用いて生成される前記メールに当該アドレス情報を埋め込ませる第４ステップと、前記アプリケーションを有する前記第２携帯端末から前記第４ステップでメールに埋め込ませたアドレス情報に基づくアクセスがあった場合、前記記憶手段において前記アドレス情報に紐付けて記憶されたスケジュール情報を読み出して前記第２携帯端末に送信し、前記第２携帯端末のアプリケーションを用いて前記第２携帯端末のカレンダに前記読み出されたスケジュール情報を登録させる第５ステップと、を含んだことを特徴とするものである。
【０００８】
請求項２の発明は、サーバの支援を受けてメールの授受およびカレンダへの登録を行うためのアプリケーションを有する携帯端末間でスケジュールを通知するスケジュール登録方法であって、第１携帯端末においてユーザの操作に応じて通知先となる第２携帯端末に対するスケジュール情報および宛先を含むメールの生成と前記サーバへのスケジュール情報および宛先の登録を開始する第１ステップと、前記サーバにおいて前記第１携帯端末からのアクセスに応じて、前記第１携帯端末において通知先となる前記第２携帯端末に対するスケジュール情報および宛先を含むメールの生成と前記サーバへのスケジュール情報および宛先の登録を行わせる共通入力画面を形成させ、前記第１携帯端末から前記形成された共通入力画面に対するスケジュール情報および宛先の入力を受け付ける第２ステップと、前記第１携帯端末においてユーザの操作に応じて前記サーバに当該第１携帯端末から前記第２携帯端末へのメール送信に連動する送信通知を送信する第３ステップと、前記サーバにおいて前記第１携帯端末から第３ステップで送信された送信通知を受け付ける第４ステップと、前記サーバにおいて前記第４ステップで送信通知を受け付けた場合、前記第２ステップで受け付けたスケジュール情報にアクセスするためのアドレス情報を生成し、当該スケジュール情報を前記アドレス情報に紐付けて前記サーバ管理下の記憶手段に登録用スケジュール情報として記憶する第５ステップと、前記第１携帯端末に対して前記第５ステップで生成されたアドレス情報を通知して、前記ステップ２において前記第１携帯端末のアプリケーションを用いて生成される前記メールに当該アドレス情報を埋め込ませる第６ステップと、前記第１携帯端末においてユーザの操作に応じてメール送信する場合、前記ステップ２において前記第１携帯端末のアプリケーションを用いて生成される前記メールに当該アドレス情報が埋め込まれた当該メールを前記第２ステップで入力された宛先となる第２携帯端末に対して送信する第７ステップと、前記アプリケーションを有する前記第２携帯端末から前記第６ステップでメールに埋め込ませたアドレス情報に基づくアクセスがあった場合、前記記憶手段において前記アドレス情報に紐付けて記憶されたスケジュール情報を読み出して前記第２携帯端末に送信し、前記第２携帯端末のアプリケーションを用いて前記第２携帯端末のカレンダに前記読み出されたスケジュール情報を登録させる第８ステップと、を含んだことを特徴とするものである。
【０００９】
請求項３の発明は、請求項１または２において、前記アドレス情報はＵＲＬであることを特徴とするものである。
【００１０】
請求項４の発明は、ネットワークを介して、メールの授受およびカレンダへの登録を行うためのアプリケーションを有する携帯端末間でスケジュールを通知するスケジュール登録システムであって、  第１携帯端末からのアクセスに応じて、前記第１携帯端末において通知先となる第２携帯端末に対するスケジュール情報および宛先を含むメールの生成と前記サーバへのスケジュール情報および宛先の登録を行わせる共通入力画面を形成させ、前記第１携帯端末から前記形成された共通入力画面に対するスケジュール情報および宛先の入力を受け付けるスケジュール設定支援手段と、前記第１携帯端末から、当該第１携帯端末から前記第２携帯端末へのメール送信に連動する送信通知を受け付けるスケジュール登録受付手段と、
前記スケジュール受付手段で送信通知を受け付けた場合、前記スケジュール受付手段で受け付けたスケジュール情報にアクセスするためのアドレス情報を生成するアドレス情報生成手段と、前記アドレス情報生成手段で生成した当該スケジュール情報を前記アドレス情報に紐付けて前記サーバ管理下の記憶手段に登録用スケジュール情報として記憶する記憶手段と、
前記第１携帯端末に対して前記アドレス情報生成手段で生成されたアドレス情報を通知して、前記第１携帯端末のアプリケーションを用いて生成される前記メールに当該アドレス情報を埋め込ませるメール生成支援手段と、前記アプリケーションを有する前記第２携帯端末から前記メール生成支援手段でメールに埋め込ませたアドレス情報に基づくアクセスがあった場合、前記記憶手段において前記アドレス情報に紐付けて記憶されたスケジュール情報を読み出して前記第２携帯端末に送信し、前記第２携帯端末のアプリケーションを用いて前記第２携帯端末のカレンダに前記読み出されたスケジュール情報を登録させるスケジュール登録支援手段と、を備えたことを特徴とするものである。
【００１１】
請求項５の発明は、サーバの支援を受けてメールの授受およびカレンダへの登録を行うためのアプリケーションを有する携帯端末間でスケジュールを通知するスケジュール登録システムであって、前記サーバにおいて、第１携帯端末からのアクセスに応じて、前記第１携帯端末において通知先となる第２携帯端末に対するスケジュール情報および宛先を含むメールの生成と前記サーバへのスケジュール情報および宛先の登録を行わせる共通入力画面を形成させ、前記第１携帯端末から前記形成された共通入力画面に対するスケジュール情報および宛先の入力を受け付けるスケジュール設定支援手段と、前記第１携帯端末から、当該第１携帯端末から前記第２携帯端末へのメール送信に連動する送信通知を受け付けるスケジュール登録受付手段と、前記スケジュール受付手段で送信通知を受け付けた場合、前記スケジュール受付手段で受け付けたスケジュール情報にアクセスするためのアドレス情報を生成するアドレス情報生成手段と、前記アドレス情報生成手段で生成した当該スケジュール情報を前記アドレス情報に紐付けて前記サーバ管理下の記憶手段に登録用スケジュール情報として記憶する記憶手段と、前記第１携帯端末に対して前記アドレス情報生成手段で生成されたアドレス情報を通知して、前記第１携帯端末のアプリケーションを用いて生成される前記メールに当該アドレス情報を埋め込ませるメール生成支援手段と、前記アプリケーションを有する前記第２携帯端末から前記メール生成支援手段でメールに埋め込ませたアドレス情報に基づくアクセスがあった場合、前記記憶手段において前記アドレス情報に紐付けて記憶されたスケジュール情報を読み出して前記第２携帯端末に送信し、前記第２携帯端末のアプリケーションを用いて前記第２携帯端末のカレンダに前記読み出されたスケジュール情報を登録させるスケジュール登録支援手段と、を備え、前記携帯端末において、ユーザの操作に応じて通知先となる第２携帯端末に対するスケジュール情報および宛先を含むメールの生成と前記サーバへのスケジュール情報および宛先の登録を開始するスケジュール設定手段と、ユーザの操作に応じて前記サーバに当該第１携帯端末から前記第２携帯端末へのメール送信に連動する送信通知を送信する送信確認手段と、ユーザの操作に応じてメール送信する場合、前記第１携帯端末のアプリケーションを用いて生成される前記メールに当該アドレス情報が埋め込まれた当該メールを入力された宛先となる第２携帯端末に対して送信するメール送信手段と、
を備えたことを特徴とするものである。
【００１２】
請求項６の発明は、請求項４または５において、前記アドレス情報はＵＲＬであることを特徴とするものである。
【００１３】
請求項７の発明は、ネットワークを介して、メールの授受およびカレンダへの登録を行うためのアプリケーションを有する携帯端末間でスケジュールを通知するサーバのコンピュータにより実行可能なスケジュール登録方プログラムであって、前記サーバのコンピュータに、  前記サーバにおいて第１携帯端末からのアクセスに応じて、前記第１携帯端末において通知先となる第２携帯端末に対するスケジュール情報および宛先を含むメールの生成と前記サーバへのスケジュール情報および宛先の登録を行わせる共通入力画面を形成させ、前記第１携帯端末から前記形成された共通入力画面に対するスケジュール情報および宛先の入力を受け付ける第１ステップと、前記サーバにおいて前記第１携帯端末から、当該第１携帯端末から前記第２携帯端末へのメール送信に連動する送信通知を受け付ける第２ステップと、前記第２ステップで送信通知を受け付けた場合、前記第１ステップで受け付けたスケジュール情報にアクセスするためのアドレス情報を生成し、当該スケジュール情報を前記アドレス情報に紐付けて前記サーバ管理下の記憶手段に登録用スケジュール情報として記憶する第３ステップと、前記サーバにおいて当該サーバから前記第１携帯端末に対して前記第３ステップで生成されたアドレス情報を通知して、前記ステップ１において前記第１携帯端末のアプリケーションを用いて生成される前記メールに当該アドレス情報を埋め込ませる第４ステップと、  前記アプリケーションを有する前記第２携帯端末から前記第４ステップでメールに埋め込ませたアドレス情報に基づくアクセスがあった場合、前記記憶手段において前記アドレス情報に紐付けて記憶されたスケジュール情報を読み出して前記第２携帯端末に送信し、前記第２携帯端末のアプリケーションを用いて前記第２携帯端末のカレンダに前記読み出されたスケジュール情報を登録させる第５ステップと、を実行させることを特徴とするものである。
【００１４】
請求項８の発明は、サーバの支援を受けてメールの授受およびカレンダへの登録を行うためのアプリケーションを有する携帯端末間でスケジュールを通知するサーバのコンピュータおよび携帯端末のコンピュータにより実行可能なスケジュール登録プログラムであって、前記サーバのコンピュータに、前記サーバにおいて第１携帯端末からのアクセスに応じて、前記第１携帯端末において通知先となる第２携帯端末に対するスケジュール情報および宛先を含むメールの生成と前記サーバへのスケジュール情報および宛先の登録を行わせる共通入力画面を形成させ、前記第１携帯端末から前記形成された共通入力画面に対するスケジュール情報および宛先の入力を受け付ける第１ステップと、前記サーバにおいて前記第１携帯端末から、当該第１携帯端末から前記第２携帯端末へのメール送信に連動する送信通知を受け付ける第２ステップと、前記第２ステップで送信通知を受け付けた場合、前記第１ステップで受け付けたスケジュール情報にアクセスするためのアドレス情報を生成し、当該スケジュール情報を前記アドレス情報に紐付けて前記サーバ管理下の記憶手段に登録用スケジュール情報として記憶する第３ステップと、前記サーバにおいて当該サーバから前記第１携帯端末に対して前記第３ステップで生成されたアドレス情報を通知して、前記ステップ１において前記第１携帯端末のアプリケーションを用いて生成される前記メールに当該アドレス情報を埋め込ませる第４ステップと、前記アプリケーションを有する前記第２携帯端末から前記第４ステップでメールに埋め込ませたアドレス情報に基づくアクセスがあった場合、前記記憶手段において前記アドレス情報に紐付けて記憶されたスケジュール情報を読み出して前記第２携帯端末に送信し、前記第２携帯端末のアプリケーションを用いて前記第２携帯端末のカレンダに前記読み出されたスケジュール情報を登録させる第５ステップと、を実行させ、前記携帯端末のコンピュータに、ユーザの操作に応じて通知先となる第２携帯端末に対するスケジュール情報および宛先を含むメールの生成と前記サーバへのスケジュール情報および宛先の登録を開始する第１ステップと、ユーザの操作に応じて前記サーバに当該第１携帯端末から前記第２携帯端末へのメール送信に連動する送信通知を送信する第２ステップと、ユーザの操作に応じてメール送信する場合、前記携帯端末におけるステップ２において前記第１携帯端末のアプリケーションを用いて生成される前記メールに当該アドレス情報が埋め込まれた当該メールを前記携帯端末における第２ステップで入力された宛先となる第２携帯端末に対して送信する第３ステップと、を実行させることを特徴とするものである。
【発明の効果】
【００１５】
本発明によれば、他人の携帯電話に対して自身のスケジュールを簡単に登録させることが可能なスケジュール登録方法、スケジュール登録プログラムおよびスケジュール登録システムを提供できるという効果を奏する。
【発明を実施するための最良の形態】
【００１６】
以下、添付図面を参照して本発明に係る一実施の形態を詳述する。本実施の形態では、携帯電話などの携帯端末にカレンダ機能が備えられ、第１の携帯端末がサーバからの支援を受けて第２の携帯端末に通知するスケジュール情報（予定）を設定し、その設定されたスケジュール情報はサーバ側で設定されるＵＲＬでアクセス可能に記憶される。スケジュール情報にアクセスするためのＵＲＬはサーバの支援を受けてメール本文に埋め込まれた状態で第１の携帯端末から第２の携帯端末に送られる。メールを受け取った第２の携帯端末はメールに埋め込まれたＵＲＬにアクセスすることによりサーバからスケジュール情報がダウンロード可能になり、そのダウンロードされたスケジュール情報がカレンダに登録される。このようにして、携帯端末間でメールを用いてスケジュール情報の登録を実現することが可能である。
【００１７】
まず全体のシステムについて図１を用いて説明する。図１は本実施の形態によるネットワークシステムの一例を示すシステム構成図である。このネットワークシステムは、たとえば図１に示したように、携帯端末の一種である携帯電話１Ａ，１Ｂ、基地局２、移動体通信網３、インターネット４、サーバ５などにより構成される。
【００１８】
携帯電話１Ａ，１Ｂは、携帯端末の代表例を示すものであり、通常の音声通話機能のほかに無線通信により基地局２および移動体通信網３を介してインターネット４に接続可能である。インターネット４には、パーソナルコンピュータ、サーバなどの各種の通信装置が接続されており、ここではサーバ５を例に挙げる。本実施の形態において、サーバ５は、携帯電話１Ａ，１Ｂ間のメールによるスケジュール登録を支援する機能を有している。
【００１９】
ここで、図１に示したネットワークシステムには、スケジュール登録システムおよびサーバシステムが組み込まれている。スケジュール登録システムは、たとえば図１においては、携帯電話１Ａ，１Ｂのようにスケジュール登録に関与する携帯電話とそのスケジュール登録を支援するサーバ５とにより構成される。また、サーバシステムは、サーバ５そのものとなる。本実施の形態では、サーバ５に各種のデータが記憶されているが、サーバ５にデータベースを接続させて、サーバ５によりデータベースに対して書き込みや読み出しを制御する場合には、サーバ５とそのデータベースとがサーバシステムを構成することになる。
【００２０】
図１において、携帯電話１Ａ，１Ｂは、それぞれカレンダＣＬＤ、アプリケーションＭＡＰなどを記憶しており、アプリケーションＭＡＰによりスケジュール登録などのカレンダ機能を実現する。基地局２は携帯電話１Ａ，１Ｂなどの携帯端末と無線で通信を行い、移動体通信網３を介してインターネット４との間で通信を実現する。移動体通信網３は、図示せぬが、交換機やゲートウェイサーバなどを具備しており、たとえばインターネット４に対してパケット処理を実現する。
【００２１】
サーバ５は、携帯電話１Ａ，Ｂなどの携帯端末に対してＷＥＢページを提供したり、スケジュール登録の支援を行うＷＥＢアプリケーションＳＡＰ、ユーザの識別番号（ユーザＩＤ）、氏名、電話番号、メールアドレスなどを対応付けて記憶するユーザ情報記憶部ＵＤＴ、ＵＲＬに紐付けてスケジュール登録すべきスケジュール情報を記憶するスケジュール情報記憶部ＳＣＨＥなどを記憶している。
【００２２】
つぎに、携帯端末の一構成例について図２を用いて説明する。図２は本実施の形態による携帯電話の一内部構成例を示すブロック図である。ここで、本実施の形態では、携帯電話１Ａと１Ｂは同様の構成を有しているので、代表例として携帯電話１Ｂを例に挙げて説明する。携帯電話１Ｂは、内部バス１１３に、アンテナ１０１を接続させた通信処理部１０２、スピーカ１０３およびマイク１０４を接続させたサウンド処理部１０５、ＣＰＵ１０６、ＲＯＭ１０７、ＲＡＭ１０８、キー群１１１、ディスプレイ１１２などを接続させ、内部バス１１３にアドレス信号、制御信号、データを伝送可能に構成される。
【００２３】
ＣＰＵ１０６は、ＲＯＭ１０７に格納された制御プログラムにしたがって装置全体を制御するとともに、ＲＡＭ１０８に格納された各種アプリケーションにしたがって通話、データ通信、メール、ＷＥＢ閲覧、キー入力、表示などの処理を実現する。
【００２４】
ＲＡＭ１０８は、カレンダＣＬＤ、アプリケーションＭＡＰ、住所録ＡＤＲＳ、音素材ＳＣなどを記憶するとともに、図示せぬワークエリアを有している。カレンダＣＬＤは、年月月日で予定をスケジューリングされたスケジュール情報により構成されるデータである。アプリケーションＭＡＰは、サーバ５の支援を受けてスケジュール情報のメール授受を行うとともに受け取った知人のスケジュール情報をカレンダＣＬＤに登録する機能を有している。住所録ＡＤＲＳは、氏名、電話番号、メールアドレスなどにより構成されるデータである。音素材ＳＣは、着信用音源を用いたメロディ、音声などのデータである。
【００２５】
キー群１１１は、電話番号を入力する数字キー、各種操作時の決定キーやカーソルキー、電源キー、オンフックキー、オフフックキーなどにより構成される。ディスプレイ１１２は、電話操作時、ＷＥＢ閲覧時、住所録の登録時、カレンダ操作時などのときに必要な画面を表示するものである。
【００２６】
つづいて住所録ＡＤＲＳ、カレンダＣＬＤについてそれぞれ図３、図４および図５を用いて説明する。図３は本実施の形態による一住所録の登録例を説明する図、図４は本実施の形態によるカレンダの一登録例を説明する図、そして、図５は本実施の形態によるカレンダの一表示例を説明する図である。
【００２７】
住所録ＡＤＲＳは、たとえば図３に示したように、氏名に対して電話番号、メールアドレスなどを対応付けて記憶させた構成である。図３の例では、“ゆか”（氏名）に対して“０９０−１１１１−２２２２”（電話番号）、“ｙｕｋａ＠ａａａ．ｃｏ．ｊｐ”（メールアドレス）などの対応付けが示されている。また、“くぼ”（氏名）に対して“０９０−３３３３−４４４４”（電話番号）、“ｋｕｂｏ＠ａａａ．ｃｏ．ｊｐ”（メールアドレス）などの対応付けが示されている。
【００２８】
カレンダＣＬＤは、たとえば図４に示したように、西暦にて年月日、曜日、時間、予定などを対応付けて記憶させた構成である。図４の例では、２００４年４月１日（木）に対して２つの予定が登録されている。ひとつ目の予定は、“４／１  ゆかの誕生日・・・”（予定）であり、もうひとつの予定は、１６：００（時間）に“いろメロ会議”（予定）である。そこで、２００４年４月１日（木）の予定は、たとえば図５に示したように、ディスプレイ１１２に表示される。
【００２９】
つぎに、サーバ５について図６、図７および図８を用いて説明する。図６は本実施の形態によるサーバ５の一内部構成例を示すブロック図、図７は本実施の形態によるユーザ情報記憶部ＵＤＴの一登録例を説明する図、そして、図８は本実施の形態によるスケジュール情報記憶部ＳＣＨＥの一登録例を説明する図である。
【００３０】
サーバ５は、たとえば図５に示したように、通信制御部５１、制御部５２、ＷＥＢアプリケーションＳＡＰ、ユーザ情報記憶部ＵＤＴ、スケジュール情報記憶部ＳＣＨＥなどにより構成される。
【００３１】
通信制御部５１は、インターネット４に接続され、インターネット４を介して他の端末（携帯電話１Ａ，１Ｂ含む）との間の通信を制御する機能を有している。制御部５２は、サーバ５全体の制御を司るとともに、ＷＥＢアプリケーションＳＡＰにしたがって本実施の形態のスケジュール登録にかかる制御を司る。ＷＥＢアプリケーションＳＡＰは、前述し通りなので、説明を省略する。
【００３２】
ユーザ情報記憶部ＵＤＴは、たとえば図７に示したように、各ユーザに割り当てられるユニークなＩＤすなわちユーザＩＤに対して氏名、電話番号、メールアドレスなどを対応付けて記憶する。図７の例では、ユーザＩＤの“１”に対して“ゆか”（氏名）、“０９０−１１１１−２２２２”（電話番号）、“ｙｕｋａ＠ａａａ．ｃｏ．ｊｐ”（メールアドレス）などの対応付けが示されている。また、ユーザＩＤの“２”に対して“くぼ”（氏名）、“０９０−３３３３−４４４４”（電話番号）、“ｋｕｂｏ＠ａａａ．ｃｏ．ｊｐ”（メールアドレス）などの対応付けが示されている。
【００３３】
スケジュール情報記憶部ＳＣＨＥは、たとえば図８に示したように、ユーザＩＤに対してＵＲＬ、年月日および時間、予定、一言を対応付けて記憶する。ここで、スケジュール情報とは、年月日および時間、予定、一言を指す。スケジュール情報記憶部ＳＣＨＥには、予定を教える側のユーザによって設定されるスケジュール情報がＵＲＬに紐付けて記憶される。図８の例では、ユーザＩＤの“１”に対して２つのスケジュール情報が記憶されている。アドレスであるＵＲＬは、それぞれｈｔｔｐ：／／ｂｂｂ・・・、ｈｔｔｐ：／／ｃｃｃ・・・である。
【００３４】
すなわち、ユーザＩＤ“１”に対応付けられているスケジュール情報は、ゆか（氏名）により設定されたものである。図８の例では、ＵＲＬとしてｈｔｔｐ：／／ｂｂｂ・・・が設定されており、このＵＲＬに対応させて、２００４年４月１日（年月日および時間）、“４／１  ゆかの誕生日・・・”（予定）、“ゆかの誕生日忘れないでね！”（一言）が記憶されている。このスケジュール情報記憶部ＳＣＨＥに記憶された情報は、予定を教える先の携帯電話にメールにて通知され、登録が実行されるとその段階で消去されるものとする。もちろん、登録拒否の場合には、スケジュール情報に含まれる日時からその日時に達するとその時点で消去するようにしてもよい。
【００３５】
つぎに、動作について図９、図１０、図１１および図１２を用いて説明する。図９は本実施の形態においてスケジュール情報を送る携帯電話側の画面遷移を説明する図、図１０は本実施の形態においてスケジュール情報を受け取る携帯電話側の画面遷移を説明する図、図１１は本実施の形態によるスケジュール情報送信時の一動作例を説明するフローチャート、そして、図１２は本実施の形態によるスケジュール情報受信時の一動作例を説明するフローチャートである。携帯電話１Ａの所有者が「ゆか」（氏名）として予定を教える側の端末とし、携帯電話１Ｂの所有者が「くぼ」（氏名）として予定を教えられる側の端末として以下に説明する。
【００３６】
まず、予定を教える側すなわちスケジュール情報をメール送信する側では、所定のサイトにアクセスしてＷＥＢページによりメニュー画面を表示させる処理が実行される。この段階では、たとえば図９（Ａ）に示したように、メニュー画面が形成される。このとき、選択肢の一例として、［１］受信メール処理、［２］送信メール処理、［３］予定を教える処理、［４］メールアドレス変更処理、［５］フォントサイズ変更処理などが選択可能に表示される。
【００３７】
さらに、［３］予定を教える処理がキー群１１１の操作により選択されると、予定入力ページの要求がサーバ５に対して送信される（ステップＭＳ１１）。サーバ５側では、その要求が受け付けられると、「予定を教える」すなわちスケジュール情報を送るための予定入力ページが生成されて、アクセス元の携帯電話１ＡにＷＥＢページとして送信される（ステップＳＳ１２）。その結果、携帯電話１Ａには、予定入力ページが受信され、ディスプレイ１１２に表示される（ステップＭＳ１２）。
【００３８】
予定入力ページには、たとえば図９（Ｂ）に示したように、年月日および時間を入力する入力欄ＴＭと予定を入力する入力欄ＴＬとが設けられる。ユーザは、キー群１１１を操作して入力欄ＴＭに対してプルダウンメニューで数字を選択したり、入力欄ＴＬに文字入力をすることができる。そして、最下段には、入力欄ＴＭ，ＴＬの入力データをサーバ５に送信するためのボタンＢＴＮ１が設けられる。なお、予定の入力欄ＴＬについては、たとえば全角で３０文字以内などの制限を設けているが、この文字数に限定されるものではない。
【００３９】
たとえば、入力欄ＴＭには、“２００４年４月１日”が入力され、入力欄ＴＬには、“４／１  ゆかの誕生日・・・”が入力され、この入力（設定）状態でボタンＢＴＮ１が操作された場合には、入力データがサーバ５に対してＷＥＢページへの入力データとして送信される。具体的には、ステップＭＳ１３およびＭＳ１４の処理は、予定以外にメールアドレスおよび宛先に対する一言が入力される。
【００４０】
すなわち、携帯電話１Ａとサーバ５間では、入力欄ＴＭ，ＴＬに続いてメールアドレスの入力、宛先への一言入力がＷＥＢページを用いてやりとりされる。予定入力ページとしては、たとえば図９（Ｃ）のように、予定の入力欄ＴＬに入力された内容が表示され、さらに電話番号の入力を促すように、電話帳参照入力か直接宛先入力によりメールアドレスが入力可能である。この電話帳参照入力か直接宛先入力かは、カーソル操作によりアイコンとして任意に選択可能である。たとえば、電話帳参照入力のアイコンＣＳ１が選択された場合には、携帯電話１Ａの住所録ＡＤＲＳが参照される。もちろん、サーバ５側のユーザ情報記憶部ＵＤＴを参照するように設計してもよい。また、直接宛先入力では、図示せぬが、文字入力が可能な欄が設けられて直接キー群１１１による文字入力が可能となる。
【００４１】
メールアドレスが入力された後は、さらにサーバ５から予定入力ページが送信され、携帯電話１Ａに表示される。具体的には、図９（Ｄ）に示したように、宛先の“くぼ”に対するメッセージ入力欄ＭＳＧが設けられる。なお、メッセージ入力欄ＭＳＧについては、たとえば全角で２０文字以内などの制限を設けているが、この文字数に限定されるものではない。
【００４２】
また、図９（Ｄ）の下段においては、入力完了かメッセージ入力欄ＭＳＧへの入力をスキップするかはカーソル操作によりアイコンとして任意に選択可能である。たとえば入力完了のアイコンＣＳ２が選択された場合には、メッセージ入力欄ＭＳＧに入力されたメッセージがサーバ５に一言として送信される。もう一方のスキップでは、メッセージ入力欄ＭＳＧへの入力なしがサーバ５に対して送信される。
【００４３】
このように、携帯電話１Ａでは、スケジュール情報として、年月日・時間および予定、メールアドレス（宛先）、一言（任意）がそれぞれ入力処理され（ステップＭＳ１３）、入力完了（ステップＭＳ１４）する度に入力データとしてサーバ５に送信（ステップＭＳ１５）される処理が繰り返し実行される。図１１のフローは、図９（Ｂ）、（Ｃ）、（Ｄ）の流れで繰り返される処理を省略している。
【００４４】
サーバ５にすべての入力データが受信されると（ステップＳＳ１３）、この入力データに基づく確認ページが作成され、携帯電話１Ａに送信される（ステップＳＳ１４）。確認ページは、たとえば図９（Ｅ）に示したように、入力内容が一部表示された状態で下段に送信ボタンＢＴＮ２が設けられる（ステップＭＳ１６）。そして、送信ボタンＢＴＮ２が操作されると（ステップＭＳ１７のＹＥＳルート）、送信操作有がサーバ５に対して通知される（ステップＭＳ１８）。
【００４５】
サーバ５では、携帯電話１Ａからの通知（送信指示有）が受け付けられると、入力データすなわちスケジュール情報にアクセスするためのＵＲＬが生成され、このＵＲＬにスケジュール情報が紐付けられて図８の如く記憶される。そして、ＵＲＬが携帯電話１Ａに送信される（ステップＳＳ１５）。図８において、“ゆか”はユーザＩＤ“１”のため、ユーザＩＤ“１”に対応させてＵＲＬとしてｈｔｔｐ：／／ｂｂｂ・・・、スケジュール情報として、２００４年４月１日（年月日および時間）、“４／１  ゆかの誕生日・・・”（予定）、“ゆかの誕生日忘れないでね！”（一言）が記憶される。このように、サーバ５へスケジュール情報が記憶されることにより、携帯電話１Ａから携帯電話１Ｂに対して「予定を教える」ためのメールが送信されたことを示す。
【００４６】
携帯電話１Ａでは、サーバ５からＵＲＬが受信されると、そのＵＲＬを埋め込んだ「予定を教える」メールが生成されて宛先“くぼ”（携帯電話１Ｂ）に送信される（ステップＭＳ１９）。
【００４７】
このようにして、携帯電話１Ｂには、携帯電話１Ａから「予定を教える」メールが受信されると、メール開封操作が受け付けられる（ステップＭＳ２１）。そして、メール開封操作に応じてメールが開封されると、ディスプレイ１１２に表示される（ステップＭＳ２２）。
【００４８】
「予定を教える」メールが開封されると、たとえば図１０（Ａ）に示したように、本文には一言“ゆかの誕生日忘れないでね！”が表示され、さらにカレンダＣＬＤに対してスケジュール情報を登録指示するための登録ボタンＢＴＮ３が設けられる。この登録ボタンＢＴＮ３は、サーバ５において生成されたＵＲＬにアクセスするための操作ボタンである。
【００４９】
ボタン操作が確認され（ステップＭＳ２３）、かつ、登録ボタンＢＴＮ３の操作が確認された場合には（ステップＭＳ２４）、携帯電話１Ｂからｈｔｔｐ：／／ｂｂｂ・・・（ＵＲＬ）へのアクセスがなされ、このＵＲＬに記憶されているスケジュール情報がスケジュール情報記憶部ＳＣＨＥから読み出される（ステップＳＳ２１）。そして、携帯電話１Ｂに対してその読み出されたスケジュール情報が送信される（ステップＳＳ２２）。
【００５０】
このようにして携帯電話１Ｂにはスケジュール情報が受信され、スケジュール登録画面が表示される（ステップＭＳ２６）。スケジュール登録画面は、たとえば図１０（Ｂ）に示したように、サーバ５より受信したスケジュール情報の登録有無を確認する画面を示す。このスケジュール登録画面には、スケジュール情報が表示されるとともに、「登録する」ボタンＢＴＮ４が設けられる。
【００５１】
そして、ボタン操作が確認され（ステップＭＳ２７）、かつ、「登録する」ボタンＢＴＮ４の操作が確認された場合には（ステップＭＳ２８）、スケジュール情報が前述した図４の如くカレンダＣＬＤに登録される（ステップＭＳ２９）。このようにして、処理が終了する。
【００５２】
なお、ステップＭＳ２４、ステップＭＳ２８において他のボタン操作が確認された場合には、他のボタン操作に応じた処理が実行される。
【００５３】
このようにして、ネットワークを介してカレンダを有する携帯端末間でスケジュールを通知するサーバシステムを実現することが可能となる。すなわち、サーバ５おいては、携帯電話１Ａからのアクセスに応答してＷＥＢページによりスケジュール情報の設定が支援され、その設定されたスケジュール情報がＵＲＬに紐付けてスケジュール情報記憶部ＳＣＨＥに記憶される。このスケジュール情報およびＵＲＬに基づいて携帯電話１Ａにおける送信メールの生成が支援される。携帯電話１Ａでは、サーバ５からの支援を受けて生成したメールを携帯電話１Ｂに送信するだけでよい。
【００５４】
一方、メールを受信した携帯電話１Ｂにおいては、受信メールからＵＲＬにアクセスするだけでサーバ５からスケジュール情報を入手することができる。すなわち、サーバ５では、アクセスしてきた携帯電話１Ｂに対し、ＵＲＬに紐付けて記憶されたスケジュール情報をスケジュール情報記憶部ＳＣＨＥから読み出して提供する処理が実行される。このようにして、アクセスしてきた携帯電話１Ｂにおけるカレンダへの登録を支援することができる。
【００５５】
以上説明したように、本実施の形態によれば、相手の携帯電話に登録したいスケジュール情報をサーバ５に記憶させておき、その相手にはサーバ５に記憶させたスケジュール情報へのアクセス権すなわちＵＲＬをメールで連絡することができる。そして、相手はＵＲＬにアクセスするだけで簡単に自身のカレンダにスケジュール情報を登録手続きすることができる。これにより、任意の知人が所有する携帯電話に対してのみ自身のスケジュールを登録させることができる。また、教えたい知人にだけスケジュールが公開されるので、スケジュールの秘密が保持される。
このように、他人の携帯電話に対して自身のスケジュールを簡単に登録させることが可能である。
【産業上の利用可能性】
【００５６】
本発明は、スケジュール登録方法、スケジュール登録プログラムおよびスケジュール登録システムを製造する産業で利用される。
【図面の簡単な説明】
【００５７】
【図１】本実施の形態によるネットワークシステムの一例を示すシステム構成図であ    る。
【図２】本実施の形態による携帯電話１Ｂの一内部構成例を示すブロック図である。
【図３】本実施の形態による一住所録の登録例を説明する図である。
【図４】本実施の形態によるカレンダの一登録例を説明する図である。
【図５】本実施の形態によるカレンダの一表示例を説明する図である。
【図６】本実施の形態によるサーバ５の一内部構成例を示すブロック図である。
【図７】本実施の形態によるユーザ情報記憶部ＵＤＴの一登録例を説明する図である    。
【図８】本実施の形態によるスケジュール情報記憶部ＳＣＨＥの一登録例を説明する    図である。
【図９】本実施の形態においてスケジュール情報を送る携帯電話側の画面遷移を説明    する図である。
【図１０】本実施の形態においてスケジュール情報を受け取る携帯電話側の画面遷移    を説明する図である。
【図１１】本実施の形態によるスケジュール情報送信時の一動作例を説明するフロー    チャートである。
【図１２】本実施の形態によるスケジュール情報受信時の一動作例を説明するフロー    チャートである。
【符号の説明】
【００５８】
１Ａ，１Ｂ  携帯電話
５  サーバ
５１  通信制御部
５２  制御部
１０２  通信処理部
１０６  ＣＰＵ
１０７  ＲＯＭ
１０８  ＲＡＭ
１１１  キー群
１１２  ディスプレイ
ＡＤＲＳ  住所録
ＣＬＤ  カレンダ
ＭＡＰ  アプリケーション
ＳＡＰ  ＷＥＢアプリケーション
ＳＣ  音素材
ＳＣＨＥ  スケジュール情報記憶部
ＵＤＴ  ユーザ情報記憶部